(57)【要約】    【課題】子機および親機の間を接続する伝送路の伝送（周波数／損失）特性に起因した輝度信号レベルの急激な変化によるＦＭ信号の欠落の発生を防止し、子機の撮像部にて撮像されたコンポジット映像信号を反転現象がない視認性の高い鮮明な映像として親機に出画させる。    【解決手段】子機１ａの撮像部１１にて撮像されたコンポジット映像信号Ｓ2を、当該子機に伝送路Ｌ1を介して接続された親機２の表示部２１に出画させるにあたり、コンポジット映像信号のシンクチップレベル電位をクランプ回路１３ａを介して固定し、その電位が固定されたシンクチップレベルを最高周波数として輝度信号レベルが大きくなるほど低い周波数に偏移するようにＶＣＯ回路１４ａを介して当該映像信号を変調（ＦＭ変調）する。  【選択図】図２
2006074184.tif 000002
【特許請求の範囲】
【請求項１】
コンポジット映像信号を生成するための撮像部（１１）、前記映像信号のシンクチップレベル電位を固定するためのクランプ回路（１３ａ）、前記シンクチップレベルを最高周波数として輝度信号レベルが大きくなるほど低い周波数に偏移するように前記映像信号を変調してＦＭ信号を生成するためのＶＣＯ回路（１４ａ）を有する子機（１ａ）と、前記子機から伝送されてきた前記ＦＭ信号を復調して前記映像信号を出画するための親機（２）とを備えることにより、前記輝度信号レベルの急激な変化時に前記親機側で発生する前記ＦＭ信号の欠落を防止したことを特徴とするテレビドアホン装置。
【請求項２】
コンポジット映像信号を生成するための撮像部（１１）、前記映像信号のシンクチップレベル電位を固定するためのクランプ回路（１３ａ）、前記映像信号を反転させ、前記シンクチップレベルを最高周波数として輝度信号レベルが大きくなるほど低い周波数に偏移するように前記映像信号を変調してＦＭ信号を生成するためのＶＣＯ回路（１４ｂ）を有する子機（１ｂ）と、前記子機から伝送されてきた前記ＦＭ信号を復調して前記映像信号を出画するための親機（２）とを備えることにより、前記輝度信号レベルの急激な変化時に前記親機側で発生する前記ＦＭ信号の欠落を防止したことを特徴とするテレビドアホン装置。
【請求項３】
コンポジット映像信号を生成するための撮像部（１１）、前記映像信号のシンクチップレベルを最高周波数として輝度信号レベルが大きくなるほど低い周波数に偏移させるための反転増幅回路（１７）、前記映像信号のシンクチップレベル電位を固定するためのクランプ回路（１３ｂ）、前記シンクチップレベルを最高周波数として輝度信号レベルが大きくなるほど低い周波数に偏移するように前記映像信号を変調してＦＭ信号を生成するためのＶＣＯ回路（１４ｃ）を有する子機（１ｃ）と、前記子機から伝送されてきた前記ＦＭ信号を復調して前記映像信号を出画するための親機（２）とを備えることにより、前記輝度信号レベルの急激な変化時に前記親機側で発生する前記ＦＭ信号の欠落を防止したことを特徴とするテレビドアホン装置。
【請求項４】
前記子機は、前記映像信号が前記親機に出画されているとき、呼出信号として前記映像信号の垂直同期信号の帰線期間に前記ＦＭ信号のキャリアを断続させるとともにキャリア断続時に発生するパルスを輝度信号側に生じさせることにより前記親機においてキャリア断続時の映像の同期ずれを解消するものであることを特徴とする請求項１乃至請求項３のうち何れか１項記載のテレビドアホン装置。
【発明の詳細な説明】
【技術分野】
【０００１】
本発明はテレビドアホン装置に係り、特に、子機および親機の間を接続する伝送路の伝送（周波数／損失）特性の影響を受けずに、子機の撮像部にて撮像された映像を視認性の高い鮮明な映像として親機に出画させることができるテレビドアホン装置に関する。
【背景技術】
【０００２】
従来から、この種のテレビドアホン装置として、テレビモニタの画質を劣化させることなくテレビ玄関子機および室内親機相互の設置位置を長距離化し、鮮明な映像が得られるテレビドアホン装置が開示されている（例えば、特許文献１を参照。）。
【０００３】
従来例のテレビドアホン装置によれば、来訪者の映像を撮像した映像信号をテレビ玄関子機のＦＭ変調回路（ＦＭ変調手段）にてＦＭ変調し、室内親機へとＦＭ映像信号を送出する。室内親機では、テレビ玄関子機から伝送路を介して伝送されてきたＦＭ映像信号の高域（高周波数帯域）を映像信号高域補償回路（映像信号高域補償手段）にて補償する。高域が補償されたＦＭ映像信号は、ＦＭ映像信号復調回路（ＦＭ映像信号復調手段）にて復調され、テレビモニタにモニタ（出画）することができる。
【０００４】
【特許文献１】特開平５−９１５１７号公報（段落番号０００７〜００１３、図１〜図３）
【発明の開示】
【発明が解決しようとする課題】
【０００５】
従来例のテレビドアホン装置において、来訪者の映像を撮像した映像信号は、図９の波形図に示すようなコンポジット映像信号Ｓ51で表される。
【０００６】
しかしながら、このコンポジット映像信号Ｓ51は、図１０の説明図に示すように、当該映像信号の輝度信号レベルが大きくなるほど高い周波数に偏移するような電圧／周波数特性を有しているため、輝度信号レベルが急激に変化したとき、例えば、暗い状態から明るい状態になると、図７の説明図に示すようなテレビ玄関子機および室内親機の間の伝送路の伝送（周波数／損失）特性の影響を受けてＦＭ映像信号復調回路（ＦＭ映像信号復調手段）の入力部における信号レベルが低下し、リミッタ増幅が正常に動作せず、図９の波形図に示すようなＦＭ映像信号Ｓ52の欠落に起因してテレビモニタにモニタ（出画）される映像に反転現象が発生する虞があった。
【０００７】
本発明は、前述の難点を解消するためになされたもので、子機および親機の間を接続する伝送路の伝送（周波数／損失）特性に起因した輝度信号レベルの急激な変化によるＦＭ信号の欠落の発生を防止し、子機の撮像部にて撮像されたコンポジット映像信号を反転現象がない視認性の高い鮮明な映像として親機に出画させることができるテレビドアホン装置を提供することを目的としている。
【課題を解決するための手段】
【０００８】
前述の目的を達成するため、本発明のテレビドアホン装置は、コンポジット映像信号を生成するための撮像部、映像信号のシンクチップレベル電位を固定するためのクランプ回路、シンクチップレベルを最高周波数として輝度信号レベルが大きくなるほど低い周波数に偏移するように映像信号（コンポジット映像信号）を変調してＦＭ信号を生成するためのＶＣＯ回路を有する子機と、子機から伝送されてきたＦＭ信号を復調して映像信号（コンポジット映像信号）を出画するための親機とを備えることにより、輝度信号レベルの急激な変化時に親機側で発生するＦＭ信号の欠落を防止したものである。
【０００９】
また、本発明のテレビドアホン装置は、コンポジット映像信号を生成するための撮像部、映像信号のシンクチップレベル電位を固定するためのクランプ回路、映像信号を反転させ、シンクチップレベルを最高周波数として輝度信号レベルが大きくなるほど低い周波数に偏移するように映像信号を変調してＦＭ信号を生成するためのＶＣＯ回路を有する子機と、子機から伝送されてきたＦＭ信号を復調して映像信号を出画するための親機とを備えることにより、輝度信号レベルの急激な変化時に親機側で発生するＦＭ信号の欠落を防止したものである。
【００１０】
また、本発明のテレビドアホン装置は、コンポジット映像信号を生成するための撮像部、映像信号のシンクチップレベルを最高周波数として輝度信号レベルが大きくなるほど低い周波数に偏移させるための反転増幅回路、映像信号のシンクチップレベル電位を固定するためのクランプ回路、シンクチップレベルを最高周波数として輝度信号レベルが大きくなるほど低い周波数に偏移するように映像信号（コンポジット映像信号）を変調してＦＭ信号を生成するためのＶＣＯ回路を有する子機と、子機から伝送されてきたＦＭ信号を復調して映像信号（コンポジット映像信号）を出画するための親機とを備えることにより、輝度信号レベルの急激な変化時に親機側で発生するＦＭ信号の欠落を防止したものである。
【００１１】
また、本発明のテレビドアホン装置において、子機は、映像信号（コンポジット映像信号）が親機に出画されているとき、呼出信号として映像信号（コンポジット映像信号）の垂直同期信号の帰線期間にＦＭ信号のキャリアを断続させるとともにキャリア断続時に発生するパルスを輝度信号側に生じさせることにより親機においてキャリア断続時の映像の同期ずれを解消するものである。
【発明の効果】
【００１２】
本発明のテレビドアホン装置によれば、子機の撮像部にて撮像されたコンポジット映像信号を、当該子機に伝送路を介して接続された親機に出画させるにあたり、このコンポジット映像信号のシンクチップレベルを最高周波数として輝度信号レベルが大きくなるほど低い周波数に偏移させるように当該映像信号を変調（ＦＭ復調）してＦＭ信号を生成することにより、伝送路の伝送（周波数／損失）特性に起因した輝度信号レベルの急激な変化によるＦＭ信号の欠落の発生が防止され、子機の撮像部にて撮像されたコンポジット映像信号を反転現象がない視認性の高い鮮明な映像として親機に出画させることができる。
【００１３】
また、本発明のテレビドアホン装置によれば、子機の撮像部にて撮像されたコンポジット映像信号が親機に出画されているとき、子機にて呼出操作が行われた旨の呼出信号として当該映像信号の垂直同期信号の帰線期間にＦＭ信号のキャリアを断続させるとともに、キャリア断続時に発生するパルスを輝度信号側に生じさせることにより、親機においてキャリア断続時の映像の同期ずれが解消され、予め出画されているコンポジット映像信号の鮮明な映像の画質を劣化させずに子機からの呼び出しを報知することができる。
【発明を実施するための最良の形態】
【００１４】
以下、本発明のテレビドアホン装置を適用した最良の実施の形態例について、図面を参照して説明する。
【００１５】
図１は、本発明の第１〜第３の各実施例によるテレビドアホン装置の構成を示すシステム説明図である。
【００１６】
図１のシステム説明図に示すテレビドアホン装置は、玄関（住戸玄関）に設置されており、来訪者が住戸内に在室中の居住者を呼び出すために操作する呼出ボタン等の呼出部１０、呼出操作を行った来訪者や玄関（住戸玄関）先の周囲環境の映像を撮像し、信号処理したコンポジット映像信号を生成するためのＣＣＤ（Charge Coupled Devices）、ＣＭＯＳ（Complementary Metal Oxide Semiconductor）等の撮像部１１、来訪者が居住者との間で通話を成立させるために使用するマイク、スピーカ等の通話部（以下、子機通話部という。）１２を有する子機１ａ、１ｂ、１ｃと、住戸内に設置され、伝送路Ｌ1を介して子機１ａ、１ｂ、１ｃが接続されており、子機１ａ、１ｂ、１ｃからの呼び出しがあることを呼出音の放音で報知するためのスピーカ等の呼出報知部２０、子機１ａ、１ｂ、１ｃの撮像部１１にて撮像された映像（コンポジット映像信号）を出画するためのＬＣＤ（Liquid Crystal Display）、有機ＥＬ（Electro Luminescence）等の表示部２１、居住者が来訪者との間で通話を成立させるために使用するハンドセット等の通話部（以下、親機通話部という。）２２を有する親機２とから構成されている。
【００１７】
図２は、本発明の第１、第２の実施例によるテレビドアホン装置の具体的な構成を示すブロック図である。
【００１８】
図２のブロック図において、本発明の第１の実施例を構成する子機１ａには、図１のシステム説明図に示す呼出部１０、撮像部１１、子機通話部１２と、撮像部１１にて撮像された映像であり、信号処理して生成されたコンポジット映像信号のシンクチップレベル電位を固定するためのクランプ回路１３ａと、クランプ回路１３ａを介してその電位が固定されたシンクチップレベルを最高周波数として輝度信号レベルが大きくなるほど低い周波数に偏移するようにコンポジット映像信号を変調（ＦＭ変調）するためのＶＣＯ（Voltage Controlled Oscillator）回路１４ａと、親機２の後述する電源回路２５からの電源供給を受け、当該子機の構成各部／回路へと動作電源をそれぞれ供給するための電源回路（以下、子機電源回路という。）１５と、呼出部１０、子機通話部１２、ＶＣＯ回路１４ａ、子機電源回路１５の各部／回路および伝送路Ｌ1の間の信号伝送ライン、電源供給ラインをそれぞれ形成するためのインターフェース（以下、子機Ｉ／Ｆという。）１６ａとが備えられている。
【００１９】
また、親機２には、図１のシステム説明図に示す呼出報知部２０、表示部２１、親機通話部２２と、当該親機の構成各部／回路をそれぞれ制御するための制御回路２３と、子機１ａから伝送路Ｌ1を介して伝送されてくるＦＭ信号を復調（ＦＭ復調）して元のコンポジット映像信号に復元し、当該子機の撮像部１１にて撮像された映像（コンポジット映像信号）を表示部２１に出画させるための復調回路２４と、商用電源（ＡＣ１００Ｖ）について整流・平滑化させたＤＣ電源を動作電源として当該親機の構成各部／回路へとそれぞれ供給するとともに、このＤＣ電源を子機１ａ（１ｂ）の子機電源回路１５へと供給するための電源回路（以下、親機電源回路という。）２５と、親機通話部２２、制御回路２３、復調回路２４、親機電源回路２５の各部／回路および伝送路Ｌ1の間の信号伝送ライン、電源供給ラインをそれぞれ形成するためのインターフェース（以下、親機Ｉ／Ｆという。）２６とが備えられている。
【００２０】
このように構成された本発明の第１の実施例によるテレビドアホン装置において、以下、具体的な動作について説明する。
【００２１】
図１のシステム説明図において、玄関（住戸玄関）に居る来訪者が住戸内に在室中の居住者を呼び出すために子機１ａの呼出部１０を操作すると、図２のブロック図に示す子機１ａの呼出部１０から子機Ｉ／Ｆ１６ａ、伝送路Ｌ1、親機２の親機Ｉ／Ｆ２６を介して制御回路２３へと呼出信号Ｓ1が伝送される。
【００２２】
図２のブロック図において、親機２の制御回路２３は、子機１ａからの呼出信号Ｓ1をもとに玄関（住戸玄関）に居る来訪者からの呼び出しがあることを検出し、その旨の呼出音を呼出報知部２０から放音させるとともに、表示部２１、復調回路２４がそれぞれ能動となるように制御し、併せて、当該親機の構成各部／回路へと動作電源をそれぞれ供給している親機電源回路２５を制御する。ここで、親機電源回路２５は、当該親機の構成各部／回路へとそれぞれ供給している動作電源、すなわち、商用電源（ＡＣ１００Ｖ）について整流・平滑化させたＤＣ電源の電圧レベルを子機１ａの構成各部／回路をそれぞれ動作（映像撮像／処理、通話）させるためのの電圧レベルに調整し、レベル調整されたＤＣ電源を親機Ｉ／Ｆ２６、伝送路Ｌ1、子機１ａの子機Ｉ／Ｆ１６ａを介して子機電源回路１５へと供給する。
【００２３】
子機１ａの子機電源回路１５は、親機２の親機電源回路２５からの電源供給を受け、撮像部１１、クランプ回路１３ａ、ＶＣＯ回路１４ａの各部／回路へと動作電源をそれぞれ供給し、この電源供給を受けた撮像部１１、クランプ回路１３ａ、ＶＣＯ回路１４ａの各動作を開始させる。
【００２４】
子機１ａの撮像部１１は、呼出操作を行った来訪者や玄関（住戸玄関）先の周囲環境の映像を撮像し、信号処理した図４（ａ）の波形図に示すコンポジット映像信号Ｓ2を生成する。このコンポジット映像信号Ｓ2は、クランプ回路１３ａを介してシンクチップレベル電位が固定される。また、ＶＣＯ回路１４ａは、図５の説明図に示すように、クランプ回路１３ａを介してその電位が固定されたシンクチップレベルを最高周波数として、同図の輝度信号レベルが大きくなるほど低い周波数に偏移するようにコンポジット映像信号Ｓ2を変調して図６の波形図に示すＦＭ信号Ｓ3を生成する。このＦＭ信号Ｓ3は、ＶＣＯ回路１４ａから子機Ｉ／Ｆ１６ａ、伝送路Ｌ1、親機２の親機Ｉ／Ｆ２６を介して復調回路２４へと伝送される。
【００２５】
親機２の復調回路２４は、図７の説明図に示すように、その伝送（周波数／損失）特性として周波数の２乗に反比例し、当該ＦＭ信号の周波数が高くなるほど損失が大きくなる伝送路Ｌ1を介して伝送されてきたＦＭ信号Ｓ3を復調（ＦＭ復調）する。例えば、伝送路Ｌ1の線路長による損失分をリミッタ増幅し、一定の遅延信号と元の信号との位相比較を行い、この結果をフィルタ処理することにより、輝度信号レベルが急激に変化したとき、例えば、暗い状態から明るい状態になった場合においてＦＭ信号Ｓ3に欠落が発生するのを防止でき、子機１ａの撮像部１１にて撮像された元のコンポジット映像信号Ｓ2へと復元して表示部２１に出力することにより、子機１ａの撮像部１１にて撮像された映像、すなわち、呼出操作を行った来訪者や玄関（住戸玄関）先の周囲環境の映像を、反転現象が発生せずに視認性の高い鮮明な映像として表示部２１に出画させることができる。
【００２６】
次に、本発明の第１の実施例と同様な効果、すなわち、子機１ａおよび親機２の間を接続する伝送路Ｌ1の伝送（周波数／損失）特性に起因した輝度信号レベルの急激な変化によるＦＭ信号Ｓ3の欠落の発生を防止し、子機１ａの撮像部１１にて撮像されたコンポジット映像信号Ｓ2を反転現象がない視認性の高い鮮明な映像として親機２の表示部２１に出画させることができるテレビドアホン装置を、以下、本発明の第２、第３の各実施例によるテレビドアホン装置として説明する。
【００２７】
なお、本発明の第２、第３の各実施例によるテレビドアホン装置において、図２、図３の各ブロック図に示す子機１ｂ、１ｃの構成以外は、前述の第１の実施例の構成各部／回路と同様な構成であることから、その説明は省略する。
【００２８】
図２のブロック図において、本発明の第２の実施例を構成する子機１ｂには、図１のシステム説明図に示す呼出部１０、撮像部１１、子機通話部１２と、撮像部１１にて撮像された映像であり、信号処理して生成されたコンポジット映像信号のシンクチップレベル電位を固定するためのクランプ回路１３ａと、クランプ回路１３ａを介してシンクチップレベル電位が固定されたコンポジット映像信号を反転させ、その電位が固定されたシンクチップレベルを最高周波数として輝度信号レベルが大きくなるほど低い周波数に偏移するように当該映像信号を変調（ＦＭ変調）するための（反転機能付）ＶＣＯ回路１４ｂと、親機２の後述する電源回路２５からの電源供給を受け、当該子機の構成各部／回路へと動作電源をそれぞれ供給するための子機電源回路１５と、呼出部１０、子機通話部１２、ＶＣＯ回路１４ｂ、子機電源回路１５の各部／回路および伝送路Ｌ1の間の信号伝送ライン、電源供給ラインをそれぞれ形成するための子機Ｉ／Ｆ１６ｂとが備えられている。
【００２９】
なお、本発明の第２の実施例によるテレビドアホン装置において、玄関（住戸玄関）に居る来訪者が子機１ｂの呼出部１０にて呼出操作を行い、親機２の呼出報知部２０から呼出音を放音させるような呼出報知および当該親機の親機電源回路２５から子機１ｂの子機電源回路１５へとＤＣ電源が供給されるまでの動作は、前述の第１の実施例の該当動作と同様であることから、その説明は省略する。
【００３０】
図２のブロック図において、子機１ｂの子機電源回路１５は、親機２の親機電源回路２５からの電源供給を受け、撮像部１１、クランプ回路１３ａ、ＶＣＯ回路１４ｂの各部／回路へと動作電源をそれぞれ供給し、この動作電源を受けた撮像部１１、クランプ回路１３ａ、ＶＣＯ回路１４ｂの各動作を開始させる。
【００３１】
子機１ｂの撮像部１１は、呼出操作を行った来訪者や玄関（住戸玄関）先の周囲環境の映像を撮像し、信号処理した図４（ａ）の波形図に示すコンポジット映像信号Ｓ2を生成する。このコンポジット映像信号Ｓ2は、クランプ回路１３ａを介してシンクチップレベル電位が固定される。また、ＶＣＯ回路１４ｂは、クランプ回路１３ａを介してシンクチップレベル電位が固定されたコンポジット映像信号Ｓ2を反転させ、図５の説明図に示すように、シンクチップレベルを最高周波数として図中の輝度信号レベルが大きくなるほど低い周波数に偏移するように当該映像信号を変調して図６の波形図に示すＦＭ信号Ｓ3を生成する。このＦＭ信号Ｓ3は、ＶＣＯ回路１４ａから子機Ｉ／Ｆ１６ａ、伝送路Ｌ1、親機２の親機Ｉ／Ｆ２６を介して復調回路２４へと伝送される。
【００３２】
親機２の復調回路２４は、図７の説明図に示すように、その伝送（周波数／損失）特性として周波数の２乗に反比例し、当該ＦＭ信号の周波数が高くなるほど損失が大きくなる伝送路Ｌ1を介して伝送されてきたＦＭ信号Ｓ3を復調（ＦＭ復調）する。例えば、伝送路Ｌ1の線路長による損失分をリミッタ増幅し、一定の遅延信号と元の信号との位相比較を行い、この結果をフィルタ処理することにより、輝度信号レベルが急激に変化したとき、例えば、暗い状態から明るい状態になった場合においてＦＭ信号Ｓ3に欠落が発生するのを防止でき、子機１ｂの撮像部１１にて撮像された元のコンポジット映像信号Ｓ2へと復元して表示部２１に出力することにより、子機１ｂの撮像部１１にて撮像された映像、すなわち、呼出操作を行った来訪者や玄関（住戸玄関）先の周囲環境の映像を、反転現象が発生せずに視認性の高い鮮明な映像として表示部２１に出画させることができる。
【００３３】
次に、図３のブロック図において、本発明の第３の実施例を構成する子機１ｃには、図１のシステム説明図に示す呼出部１０、撮像部１１、子機通話部１２と、撮像部１１にて撮像された映像であり、信号処理して生成されたコンポジット映像信号を反転させ、当該映像信号のシンクチップレベルを最高周波数として輝度信号レベルが大きくなるほど低い周波数に偏移させるための反転増幅回路１７と、反転増幅回路１７を介して反転されたコンポジット映像信号のシンクチップレベル電位を固定するためのクランプ回路１３ｂと、クランプ回路１３ｂを介してその電位が固定されたシンクチップレベルを最高周波数として輝度信号レベルが大きくなるほど低い周波数に偏移させるようにコンポジット映像信号を変調（ＦＭ変調）するためのＶＣＯ回路１４ｃと、親機２の親機電源回路２５からの電源供給を受け、当該子機の構成各部／回路へと動作電源をそれぞれ供給するための子機電源回路１５と、呼出部１０、子機通話部１２、ＶＣＯ回路１４ｃ、子機電源回路１５の構成各部／回路および伝送路Ｌ1の間の信号伝送ライン、電源供給ラインをそれぞれ形成するための子機Ｉ／Ｆ１６ｂとが備えられている。
【００３４】
このように構成された本発明の第３の実施例によるテレビドアホン装置において、以下、具体的な動作について説明する。
【００３５】
なお、本発明の第３の実施例によるテレビドアホン装置において、玄関（住戸玄関）に居る来訪者が子機１ｃの呼出部１０にて呼出操作を行い、親機２の呼出報知部２０から呼出音を放音させるような呼出報知および当該親機の親機電源回路２５から子機１ｃの子機電源回路１５へとＤＣ電源が供給されるまでの動作は、前述の第１（第２）の実施例の該当動作と同様であることから、その説明は省略する。
【００３６】
図３のブロック図において、子機１ｃの子機電源回路１５は、親機２の親機電源回路２５からの電源供給を受け、撮像部１１、クランプ回路１３ｂ、ＶＣＯ回路１４ｃ、反転増幅回路１７の各部／回路へと動作電源をそれぞれ供給し、この動作電源を受けた撮像部１１、クランプ回路１３ｂ、ＶＣＯ回路１４ｃ、反転増幅回路１７の各動作を開始させる。
【００３７】
子機１ｃの撮像部１１は、呼出操作を行った来訪者や玄関（住戸玄関）先の周囲環境の映像を撮像し、信号処理した図４（ａ）の波形図に示すコンポジット映像信号Ｓ2を生成する。このコンポジット映像信号Ｓ2は、反転増幅回路１７を介して（その波形が）反転される。また、クランプ回路１３ｂは、反転増幅回路１７を介して反転された図４（ｂ）の波形図に示すコンポジット映像信号Ｓ2aのシンクチップレベル電位を固定する。さらに、ＶＣＯ回路１４ｃは、図５の説明図に示すように、クランプ回路１３ｂを介して固定されたシンクチップレベルを最高周波数として、同図の輝度信号レベルが大きくなるほど低い周波数に偏移するようにコンポジット映像信号Ｓ2aを変調して図６の波形図に示すＦＭ信号Ｓ3を生成する。このＦＭ信号Ｓ3は、ＶＣＯ回路１４ｂから子機Ｉ／Ｆ１６ｂ、伝送路Ｌ1、親機２の親機Ｉ／Ｆ２６を介して復調回路２４へと伝送される。
【００３８】
親機２の復調回路２４は、図７の説明図に示すように、その伝送（周波数／損失）特性として周波数の２乗に反比例し、当該ＦＭ信号の周波数が高くなるほど損失が大きくなる伝送路Ｌ1を介して伝送されてきたＦＭ信号Ｓ3を復調（ＦＭ復調）する。例えば、伝送路Ｌ1の線路長による損失分をリミッタ増幅し、一定の遅延信号と元の信号との位相比較を行い、この結果をフィルタ処理することにより、輝度信号レベルが急激に変化したとき、例えば、暗い状態から明るい状態になった場合においてＦＭ信号Ｓ3に欠落が発生するのを防止でき、子機１ｃの撮像部１１にて撮像された元のコンポジット映像信号Ｓ2へと復元して表示部２１に出力することにより、子機１ｃの撮像部１１にて撮像された映像、すなわち、呼出操作を行った来訪者や玄関（住戸玄関）先の周囲環境の映像を、反転現象が発生せずに視認性の高い鮮明な映像として表示部２１に出画させることができる。
【００３９】
次に、前述のような本発明の第１〜第３の各実施例によるテレビドアホン装置において、親機２の呼出報知部２０から放音された呼出音および表示部２１に出画された映像をもとに、玄関（住戸玄関）に居る来訪者からの呼び出しがあることを当該来訪者の識別と併せて確認した居住者が親機通話部２２を使用して応答すると、この応答操作を検出した制御回路２３の制御により、居住者が使用する親機通話部２２の送受話機能と親機Ｉ／Ｆ２６、伝送路Ｌ1、子機１ａ、１ｂ、１ｃの子機Ｉ／Ｆ１６ａ、１６ｂ、１６ｃを介して来訪者が使用する子機通話部１２の送受話機能との間の通話ラインが形成され、形成された通話ラインを介して音声信号（詳述せず）を送受信させることによって通話が成立し、特に、居住者にとっては視認性の高い来訪者の鮮明な映像を確認しながら通話を成立させることができる。
【００４０】
次に、前述のような本発明の第１、〜第３の各実施例によるテレビドアホン装置において、子機１ａ、１ｂ、１ｃの撮像部１１にて撮像されたコンポジット映像信号Ｓ2、すなわち、呼出操作を行った来訪者や玄関（住戸玄関）先の周囲環境の映像であり視認性の高い鮮明な映像が親機２の表示部２１に出画されているとき、来訪者が子機１ａ、１ｂ、１ｃの呼出部１０を（再び）操作すると、子機Ｉ／Ｆ１６ａ、１６ｂ、１６ｃでは、図８の波形図に示すように、呼出信号としてコンポジット映像信号Ｓ2の垂直同期信号の帰線期間にＦＭ信号Ｓ3のキャリアを断続させるとともに、このキャリア断続時に発生するパルスを図中の輝度信号側に生じさせることにより、親機２の表示部２１では、ＦＭ信号Ｓ3のキャリア断続時における同期ずれが解消され、予め出画されているコンポジット映像信号Ｓ2の画質が劣化せずに視認性の高い鮮明な映像として維持できる。また、親機２の制御回路２３は、親機Ｉ／Ｆ２６を介してＦＭ信号Ｓ3から分離／抽出させたキャリアを呼出信号として検出し、呼出報知部２０から呼出音を放音させて子機１ａ、１ｂ、１ｃからの呼び出しを報知することができる。
【図面の簡単な説明】
【００４１】
【図１】図１は、本発明の第１〜第３の各実施例によるテレビドアホン装置の構成を示すシステム説明図である。
【図２】図２は、本発明の第１、第２の各実施例によるテレビドアホン装置の具体的な構成を示すブロック図。
【図３】図３は、本発明の第３の実施例によるテレビドアホン装置の具体的な構成を示すブロック図。
【図４】図４（ａ）は、本発明の第１〜第３の各実施例によるテレビドアホン装置において、子機の撮像部にて撮像された映像であり、信号処理して生成されたコンポジット映像信号を示す波形図である。図４（ｂ）は、本発明の第３の実施例によるテレビドアホン装置において、子機の撮像部にて撮像された映像であり、信号処理して生成されたコンポジット映像信号を反転増幅回路を介して反転させたときの当該コンポジット映像信号を示す波形図である。
【図５】図５は、本発明の第１〜第３の各実施例によるテレビドアホン装置において、子機のクランプ回路を介してシンクチップレベル電位が固定されたコンポジット映像信号の電圧／周波数特性を示す説明図である。
【図６】図６、本発明の第１〜第３の各実施例によるテレビドアホン装置において、子機の撮像部にて撮像された来訪者の映像であり、信号処理して生成されたコンポジット映像信号および当該コンポジット映像信号を変調（ＦＭ変調）させたＦＭ信号をそれぞれ示す波形図である。
【図７】図７は、本発明の第１〜第３の各実施例および従来例のテレビドアホン装置において、子機および親機の間を接続する伝送路の伝送（周波数／損失）特性を示す説明図である。
【図８】図８は、本発明の第１〜第３の各実施例によるテレビドアホン装置において、子機の撮像部にて撮像された来訪者の映像であり、信号処理して生成されたコンポジット映像信号が親機に出画されているときに、子機から親機へと伝送される呼出信号の信号形態を示す波形図である。
【図９】図９は、従来例のテレビドアホン装置において、テレビドアホン子機にて撮像された来訪者の映像であり、信号処理して生成されたコンポジット映像信号および当該コンポジット映像信号を変調（ＦＭ変調）させたＦＭ信号をそれぞれ示す波形図である。
【図１０】図１０は、従来例のテレビドアホン装置において、テレビドアホン子機にて撮像された来訪者の映像であり、信号処理して生成されたコンポジット映像信号の電圧／周波数特性を示す説明図である。
【符号の説明】
【００４２】
１ａ、１ｂ、１ｃ……子機
１１……撮像部
１３ａ、１３ｂ……クランプ回路
１４ａ、１４ｂ、１４ｃ……ＶＣＯ回路
１７……反転増幅回路
２……親機
【図１】
2006074184.tif 000003
【図２】
2006074184.tif 000004
【図３】
2006074184.tif 000005
【図４】
2006074184.tif 000006
【図５】
2006074184.tif 000007
【図６】
2006074184.tif 000008
【図７】
2006074184.tif 000009
【図８】
2006074184.tif 000010
【図９】
2006074184.tif 000011
【図１０】
2006074184.tif 000012